(57)【要約】【課題】鋼主桁間隔の広い鋼桁橋の施工に際し、鋼主桁間に配置する横桁を有効に利用してコンクリート床版の型枠を合理的に設けることのできるコンクリート床版の施工方法を提供する。【解決手段】平行に配列される鋼主桁１０、１０間に横桁１１を間隔をおいて配置して各横桁の両端を鋼主桁に連結したのち、各横桁１１、１１間に前記鋼主桁１０の長さ方向に沿って延びる支保工支持用の仮桁１２を設けて、この仮桁上に配置した支保工１７により床版用型枠１９を支持してコンクリート床版を打設する。【選択図】  図１
2004197347.tif 000002
【特許請求の範囲】
【請求項１】
平行する鋼主桁間に横桁を配置して両鋼主桁を横桁により一体に連結する鋼桁橋の施工方法において、平行に配列される鋼主桁間に横桁を間隔をおいて配置して各横桁の両端を鋼主桁に連結したのち、各横桁間に前記鋼主桁の長さ方向に沿って延びる支保工支持用の仮桁を設けて、この仮桁上に配置した支保工により床版用型枠を支持してコンクリート床版を打設する横桁一体型コンクリート床版の施工方法。
【請求項２】
平行に配列される鋼主桁間に間隔をおいて配置される横桁がプレキャストコンクリート製である請求項１の横桁一体型コンクリート床版の施工方法。
【請求項３】
平行に配列される鋼主桁間に間隔をおいて配置される横桁が鋼製横桁である請求項１の横桁一体型コンクリート床版の施工方法。
【請求項４】
各横桁の所定位置に支保工支持用の仮桁を挿通するための挿通孔が開設されていて、各横桁の挿通孔に前記仮桁を鋼主桁の長さ方向に沿って延びるように貫通配置する請求項１乃至３のいずれかの横桁一体型コンクリート床版の施工方法。
【請求項５】
各横桁の両面の所定位置に、支保工支持用の仮桁の一端を支持するための支持辺を設け、各横桁の支持辺に前記仮桁の両端を支持させることで、各横桁の両面側に鋼主桁の長さ方向に沿って延びる前記仮桁を配置する請求項１乃至３のいずれかの横桁一体型コンクリート床版の施工方法。
【発明の詳細な説明】
【０００１】
【発明の属する技術分野】
本発明は、鋼主桁間隔の広い鋼桁橋におけるコンクリート床版を、鋼主桁間に配置する横桁を利用して合理的に設けることができるようにした横桁一体型コンクリート床版の施工方法に関するものである。
【０００２】
【従来の技術】
従来より、鋼桁橋は、鋼主桁の安定性を維持するための部材として、横桁を不可欠の構成要素とし、かつ、横桁はそれ自体、剛性を有することが必要とされる。また、鋼主桁はそのウェブに前記横桁を接続するための手段、あるいは座屈を防止するための補強手段として、ウェブに垂直補剛材及び水平補剛材などの補強部材を設けて、横桁がこれらの補剛材を介して鋼主桁に接続されるという構造になっている。（例えば、特許文献１，特許文献２，特許文献３参照）。
【０００３】
【特許文献】
特公昭５４−１０５８２９号公報（図１、図２）
【特許文献】
特開２０００−８３２５号（図１、図４）
【特許文献】
特開２００２−２２７１３３号（図１）
【０００４】
【発明が解決すべき課題】
近時、鋼桁橋の架設については、適正な強度を備えつつ、しかも経済的に施工できる方法が求められており、このような観点から考慮した場合、経済的な鋼桁橋を施工するために最も重要な課題は、いかにして施工に必要な加工数を減らすかということである。
【０００５】
鋼桁橋においては、前記のように鋼主桁のウェブに横桁を接続するための手段、あるいは座屈防止手段として、ウェブに垂直補剛材及び水平補剛材などの補強部材を設けるが、これらの補剛材を設けることが製作工程としてかなりの比重を占めている。最近では、水平補剛材については、設計法の進歩により、省略できるような方策が考えられているが、垂直補剛材については、未だ横桁を接続するための手段として重要な部材となるため省略は困難とされている。
【０００６】
また、従来では、鋼桁橋におけるコンクリート床版は、鋼主桁のみで支持された版を用いるのが一般的であり、構造的には等方性版と呼ばれるもので、設計・施工が容易であるが、その反面、鋼主桁間隔が広くなると版厚が必然的に大きくなる。そのため、できるだけ床版の厚さを薄くするために高価なＰＣ床版などととする必要性があった。
【０００７】
さらに、従来では、鋼主桁間隔の広い鋼桁橋におけるコンクリート床版を施工する方法として、両側の鋼主桁間に桁高の小さい仮の横桁を架け渡して、この仮横桁上に支保工を組んで床版型枠を支持させる方法であるとか、両側の鋼主桁間に架け渡した桁高の小さい仮横桁の上と、左右両側の鋼桁の外側とにコンクリート床版用型枠を橋軸方向に沿って移動可能なるように設けて、所定の長さの床版を打設したのちに、型枠を移動して隣接する次の位置のコンクリート床版を打設するという移動型枠による工法も知られている。
【０００８】
このように、従来より、鋼主桁間隔の広い鋼桁橋の施工に際しては、鋼主桁のウェブに、補強あるいは横桁の接続のための補剛材を多数付設することから、溶接などの加工数を多く必要とするという問題、また、鋼主桁の間隔を広くする場合にはコンクリート床版の厚さが大きくなって、自重も大きくなり、高価なＰＣ床版などとしなければならないという問題、さらに、移動型枠による方法は、コンクリート床版の打設を能率的に行えるという利点は認められるとしても、型枠の設置、管理、移動などが煩雑であるだけでなく、工事費が高くなるという問題点を有している。
【０００９】
【課題を解決するための手段】
本発明は、従来の鋼桁橋の施工方法における上記のような問題点を解消するための手段として、鋼主桁間の間隔が広い鋼桁橋であっても、鋼主桁間に横桁を能率的に設けることと、この横桁を活用することによってコンクリート床版の施工とが短期間に合理的に行えるようにした横桁一体型コンクリート床版の施工方法の提供を目的とするものである。
【００１０】
本発明に係る横桁一体型コンクリート床版の施工方法は、そのための具体的手段として、平行する鋼主桁間に横桁を配置して両鋼主桁を横桁により一体に連結する鋼桁橋の施工方法において、平行に配列される鋼主桁間に横桁を間隔をおいて配置して各横桁の両端を鋼主桁に連結したのち、各横桁間に前記鋼主桁の長さ方向に沿って延びる支保工支持用の仮桁を設けて、この仮桁上に配置した支保工により床版用型枠を支持して、横桁と一体化されるようにコンクリート床版を打設することを特徴とする。
【００１１】
平行に配列される鋼主桁間に間隔をおいて配置される横桁としては、プレキャストコンクリート製であっても、また、鋼製であってもよい。
【００１２】
横桁に支保工支持用の仮桁を架設するための手段としては、各横桁の所定位置に仮桁を貫通するための挿通孔を開設して、各横桁の挿通孔にＨ形鋼からなる仮桁を鋼主桁の長さ方向に沿って延びるように貫通配置するような構造とすることが好ましい。
【００１３】
また、横桁に支保工支持用の仮桁を架設するための手段としては、仮桁を各横桁の間隔と同じ長さとし、各横桁には孔を設けずに各横桁の両面の所定位置にそれぞれ仮桁の一端を支持するための支持辺を設けて、各横桁の支持辺に仮桁の両端を支持することで、各横桁間に仮桁を鋼主桁と平行な方向に沿って延びるように配置してもよい。
【００１４】
【発明の実施の形態】
次に、本発明に係る横桁一体型コンクリート床版の施工方法を、図面に示す実施例について説明すると、この施工方法を実施するために必要となる鋼桁橋の構成は、図１に示すように、基本的に左右一対の鋼主桁１０と、これらの鋼主桁１０の間に配置される複数個の横桁１１と、これらの横桁１１間において前記鋼主桁１０と平行な向きに配置される複数本の仮桁１２とからなっている。
【００１５】
図１乃至図４は、プレキャストコンクリート製の横桁１１を用いた場合の実施例であり、図２に示すように、鋼主桁１０の内側の所定位置には、ボルト孔を有する接続辺１３が設けられているとともに、図３のように、横桁１１の両端には、前記鋼主桁１０の接続辺１３と対応する同様な接続辺１４が設けられている。
【００１６】
鋼主桁１０の接続辺１３及び横桁１１の接続辺１４は、いずれも工場で製造される際に、予め溶接あるいはボルト接続により突設されていて、図４ａ及び図４ｂに示すように、現場へ移送された鋼主桁１０が橋脚１５上に架設されたのち、各横桁１１も両鋼主桁１０の間に配置されて、それぞれの対応する接続辺１３と接続辺１４とがボルト接続されて、鋼主桁１０と各横桁１１とが能率よく一体的に仮接続される。
【００１７】
また、横桁１１がプレキャストコンクリート製の場合、横桁１１は、長さＬが左右の鋼主桁１０、１０の間隔Ｗよりも、前記左右両端の接続辺１４の突設長さ分だけ短く成形されており、さらに、横桁１１の両端の接続辺１４を左右の鋼主桁１０の接続辺１３に接続した状態において、該横桁１１の上端辺１１ｂが鋼主桁１０の上端辺１０ａと同じ高さ位置にあるような桁高Ｈを有している。
【００１８】
前記横桁１１は、図３に示すように、工場で製造される際に、予め所定位置に、後に述べるような支保工１７を支持するＨ形鋼からなる仮桁１２を挿通するための複数個の窓孔状挿通孔１６が開設されている。
【００１９】
施工に際しては、図４ａに示すように、左右の鋼主桁１０、１０が橋脚１５上に架設されたのち、各横桁１１の両端の接続辺１４を左右の鋼主桁１０の接続辺１３に接続して、鋼主桁１０と各横桁１１とを能率的に仮接続する。
【００２０】
次いで、前記接続辺１３，１４により接続された横桁１１の両端１１ａと鋼主桁１０との間の空間の前後両側面に型枠（図示せず）を配置して、図４ｂのように鋼主桁１０の内側面と横桁１１の側端との間にコンクリート接合部１８を形成し、左右の鋼主桁１０とそれぞれの横桁１１とを確実に一体接続する。
【００２１】
上記のように、鋼主桁１０と横桁１１とが確実に接続された後、次に、図１及び図１図４ｂのように、各横桁１１における同じ位置の挿通孔１６内にそれぞれ仮桁１２を貫通し、各仮桁１２の端を適宜の位置で長さ方向に連続するように接続して、各仮桁１２を鋼主桁１０と平行に配列させる。仮桁１２を長さ方向に接続する位置としては、横桁１１における挿通孔１６内であることが好ましい。
【００２２】
上記のように、横桁１１に仮桁１２が架設されたの後、図４ｃのように、これら仮桁１２の上に支保工１７を配置して、この支保工１７によりコンクリート床版の型枠１９を支持して、この型枠１９内にコンクリートを打設し、最終的にコンクリート床版２０を成形する。なお、コンクリート床版２０が成形されて型枠１９及び支保工１７が撤去された後に、前記仮桁１２は、それぞれの横桁１１の挿通孔１６内から引き抜かれて横桁１１から撤去される。
【００２３】
図５及び図６は、上下にフランジ２１ａ、２１ｂを有する鋼製の横桁２１を使用した場合の実施例である。この場合には、横桁２１の両端２１ｃが鋼主桁１０の内側に接続される構造は、基本的に前記の実施例の構造と変わりはないが、鋼製横桁２１の場合には、仮桁２２を支持するための手段として、前記プレキャストコンクリート製仮桁１２の挿通孔１６のような孔は設けずに、横桁２１の両面における各仮桁２２の端部２２ａの取付け位置にブラケット状の支持辺２６を突設しておき、この支持辺２６上に仮桁２２の端部２２ａを接続する点において相違している。
【００２４】
この鋼製横桁２２の場合も、図５及び図６に示すように、横桁２１における同じ位置の支持辺２６上に、それぞれ仮桁２２の一端を支持するようにして接続し、各仮桁２２を鋼主桁１０と平行に配列する。
【００２５】
各横桁２１に仮桁２２が架設されたのちは、前記図４ｃに示した実施例の場合と同様に、これら仮桁２２の上に支保工を配置して、この支保工によりコンクリート床版の型枠を支持し、型枠内にコンクリートを打設して、コンクリート床版を成形する。なお、コンクリート床版が成形されて型枠及び支保工が撤去された後は、前記仮桁２２は、それぞれの横桁２１の支持辺２６から取り外されて横桁２１から撤去される。
【００２６】
上記実施例では、横桁に仮桁を架設するための手段として、プレキャストコンクリート製の横桁１１の場合には窓孔状の挿通孔１６を設け、また、鋼製横桁２１の場合には孔は設けずにブラケット状支持辺２６を突設する構成としたが、図７に示すように、プレキャストコンクリート製横桁１１に、仮桁２２の一端を支持するためのブラケット状支持辺２６を設けたり、あるいは図８のように、鋼製横桁２１に窓孔状の挿通孔１６を設けるような構成としてもよい。
【００２７】
【発明の効果】
この発明に係る工法では、鋼主桁間に配置する横桁に、窓孔状の挿通孔もしくは横桁の両端を接続する支持辺を設けて、この挿通孔及び支持辺により各横桁間に仮桁を鋼主桁と平行な向きに支持するため、この仮桁上に支保工を配置することで、鋼主桁間隔の広い鋼桁橋の施工であっても、コンクリート床版型枠の設置及び撤去作業を、従来の移動型枠工法などに比較して、安定よく、能率的、かつ、低コストな工費により行うことができる。
【００２８】
また、横桁は、前記仮桁を介してコンクリート床版の型枠を支持することができるだけでなく、各横桁の上辺をコンクリート床版自体に接続することができるので、コンクリート床版を左右の鋼主桁と、前後の横桁とにより支持された４辺支持板とすることができ、床版を厚くしたり、高価なＰＣ床版などとしなくても済む合理的設計とすることができる。
【００２９】
本発明は、コンクリート床版型枠を支持する支保工を、間隔を置いて配列した横桁に貫通もしくは接続させた仮桁に支持させるという方法に特徴を有するため、鋼主桁間に横桁が架設されて、これらの横桁間に仮桁が架設されれば、この仮桁を利用して直ちにコンクリート床版型枠を組み、床版の施工に移行することができ、工期の大幅な短縮を期待することができる。
【００３０】
横桁をプレキャストコンクリート製として、仮桁を支持するための手段として窓孔状の挿通孔を設けた場合には、仮桁を挿通孔内に挿通するだけで済むので仮桁の架設が簡単であり、また、コンクリート床版の施工後も仮桁を挿通孔から引き抜けばよいので、作業が簡単で安全性が高いという利点を有する。
【図面の簡単な説明】
【図１】本発明に係るコンクリート床版の施工方法が実施される鋼桁橋の斜視図。
【図２】本発明の施工方法に使用される鋼主桁の斜視図。
【図３】同じく横桁の斜視図。
【図４】施工方法の順序を示す説明図。
【図５】本発明の施工方法の別実施例における横桁と仮桁との構成を示す斜視図。
【図６】図５のＡ−Ａ線における断面図。
【図７】横桁の別実施例を示す斜視図。
【図８】同じく横桁の別実施例を示す斜視図。
【符号の説明】
１０：鋼主桁、
１０ａ：鋼主桁上端辺、
１１：横桁、
１１ａ：横桁上端辺、
１１ｂ：横桁両端、
１２：仮桁、
１３：接続辺、
１４：接続辺、
１５：橋脚、
１６：挿通孔、
１７：支保工、
１８：接合部、
１９：床版型枠、
２０：コンクリート床版、
２１：鋼製横桁、
２１ａ：フランジ、
２１ｂ：フランジ、
２２：仮桁、
２２ａ：仮桁端部、
２６：支持辺
【図１】
2004197347.tif 000003
【図２】
2004197347.tif 000004
【図３】
2004197347.tif 000005
【図４】
2004197347.tif 000006
【図５】
2004197347.tif 000007
【図６】
2004197347.tif 000008
【図７】
2004197347.tif 000009
【図８】
2004197347.tif 000010